(57)【要約】【課題】集合住宅の各住戸の住人に対してより有用な情報を提供する。【解決手段】情報提供システムは、各々が集合住宅６において異なる住戸６１に設けられた複数の住戸端末１と、サーバ装置４とを備える。各住戸端末１は、情報入力部１１と表示部１２とを備える。情報入力部１１には、他の住戸端末１の表示部１２に表示させるための内容を含む表示内容情報および上記表示内容情報に関連する場所を表わす場所情報が入力される。サーバ装置４は、記憶部４２と情報処理部４３と表示制御部４４とを備える。記憶部４２は、表示内容情報および場所情報を対応付けて記憶する。情報処理部４３は、記憶部４２に記憶されている場所情報を用いて、集合住宅６から場所情報で表わされる場所までの距離に関連する距離関連情報を求める。表示制御部４４は、距離関連情報を用いて、集合住宅６に近い場所に関連する表示内容情報を優先的に住戸端末１の表示部１２に表示させる。【選択図】図１
2012128481.tif 000002
【特許請求の範囲】
【請求項１】
各々が集合住宅において異なる住戸に設けられた複数の住戸端末と、
各住戸端末と情報を授受するサーバ装置とを備え、
各住戸端末は、
表示部と、
他の住戸端末の前記表示部に表示させるための内容を含む表示内容情報および当該表示内容情報に関連する場所を表わす場所情報が入力される情報入力部とを備え、
前記サーバ装置は、
前記情報入力部に入力された前記表示内容情報および前記場所情報を対応付けて各住戸端末から取得して記憶する記憶部と、
前記記憶部に記憶されている前記場所情報を用いて前記集合住宅から前記場所情報で表わされる前記場所までの距離に関連する距離関連情報を求める距離算出部と、
前記距離算出部で求められた前記距離関連情報を用いて前記集合住宅に近い場所に関連する前記表示内容情報を優先的に所定の前記住戸端末の前記表示部に表示させる表示制御部とを備える
ことを特徴とする情報提供システム。
【請求項２】
前記情報入力部には、所定距離関連情報が入力され、
前記サーバ装置の前記表示制御部は、前記情報入力部に入力された前記所定距離関連情報に関連する前記表示内容情報を前記記憶部から選択し、当該表示内容情報を、前記所定距離関連情報が入力された前記住戸端末の前記表示部に表示させる
ことを特徴とする請求項１記載の情報提供システム。
【請求項３】
前記サーバ装置は、前記記憶部に記憶されている前記表示内容情報がすべての前記住戸端末で表示すべき情報であるか否かを前記距離関連情報に応じて判断する判断部を備え、
前記表示制御部は、前記表示内容情報がすべての前記住戸端末に表示すべき情報であると前記判断部で判断された場合、当該表示内容情報をすべての前記住戸端末の前記表示部に表示させる
ことを特徴とする請求項１または２記載の情報提供システム。
【請求項４】
前記サーバ装置は、前記記憶部に記憶されている前記場所情報を用いて当該場所情報で表わされる前記場所が示された周辺地図を作成する地図作成部を備え、
前記表示制御部は、前記地図作成部で作成された前記周辺地図を前記表示内容情報とともに所定の前記住戸端末の前記表示部に表示させる
ことを特徴とする請求項１〜３のいずれか１項に記載の情報提供システム。
【請求項５】
前記サーバ装置は、前記記憶部に記憶されている前記表示内容情報を消去するタイミングを前記距離算出部で求められた前記距離関連情報に応じて決定する決定部を備えることを特徴とする請求項１〜４のいずれか１項に記載の情報提供システム。
【請求項６】
各々が集合住宅において異なる住戸に設けられて表示部に表示させる内容を示す表示内容情報および当該表示内容情報に関連する場所を表わす場所情報が入力される複数の住戸端末と情報を授受するサーバ装置であって、
前記表示内容情報および前記場所情報を対応付けて各住戸端末から取得して記憶する記憶部と、
前記記憶部に記憶されている前記場所情報を用いて前記集合住宅から前記場所情報で表わされる前記場所までの距離に関連する距離関連情報を求める距離算出部と、
前記距離算出部で求められた前記距離関連情報を用いて前記集合住宅に近い場所に関連する前記表示内容情報を優先的に所定の前記住戸端末の前記表示部に表示させる表示制御部と
を備えることを特徴とするサーバ装置。
【発明の詳細な説明】
【技術分野】
【０００１】
本発明は、集合住宅内で住人が入力した情報を管理して各住人に有用な情報を提供する情報提供システムおよびサーバ装置に関する。
【背景技術】
【０００２】
従来から、ユーザごとに必要な情報を選択して提供するシステムが知られている（例えば特許文献１参照）。従来のシステムは、情報端末からアクセスしているユーザのいる地域を識別し、識別した地域の地域情報をユーザに提供する。
【先行技術文献】
【特許文献】
【０００３】
【特許文献１】特開２０１０−１１７８６１号公報
【発明の概要】
【発明が解決しようとする課題】
【０００４】
しかしながら、従来のシステムは、集合住宅に用いられた場合、集合住宅がある地域の地域情報を提供することができるものの、上記地域内において、集合住宅から遠い場所に関連する情報と集合住宅に近い場所に関連する情報とが混在してユーザに提供されることになる。集合住宅の各住戸の住人にとって、集合住宅に近い場所に関連する情報のほうが集合住宅から遠い場所に関連する情報より有用であることが多かった。
【０００５】
本発明は上記の点に鑑みて為され、本発明の目的は、集合住宅の各住戸の住人に対してより有用な情報を提供することができる情報提供システムおよびサーバ装置を提供することにある。
【課題を解決するための手段】
【０００６】
本発明の情報提供システムは、各々が集合住宅において異なる住戸に設けられた複数の住戸端末と、各住戸端末と情報を授受するサーバ装置とを備え、各住戸端末は、表示部と、他の住戸端末の前記表示部に表示させるための内容を含む表示内容情報および当該表示内容情報に関連する場所を表わす場所情報が入力される情報入力部とを備え、前記サーバ装置は、前記情報入力部に入力された前記表示内容情報および前記場所情報を対応付けて各住戸端末から取得して記憶する記憶部と、前記記憶部に記憶されている前記場所情報を用いて前記集合住宅から前記場所情報で表わされる前記場所までの距離に関連する距離関連情報を求める距離算出部と、前記距離算出部で求められた前記距離関連情報を用いて前記集合住宅に近い場所に関連する前記表示内容情報を優先的に所定の前記住戸端末の前記表示部に表示させる表示制御部とを備えることを特徴とする。
【０００７】
この情報提供システムにおいて、前記情報入力部には、所定距離関連情報が入力され、前記サーバ装置の前記表示制御部は、前記情報入力部に入力された前記所定距離関連情報に関連する前記表示内容情報を前記記憶部から選択し、当該表示内容情報を、前記所定距離関連情報が入力された前記住戸端末の前記表示部に表示させることが好ましい。
【０００８】
この情報提供システムにおいて、前記サーバ装置は、前記記憶部に記憶されている前記表示内容情報がすべての前記住戸端末で表示すべき情報であるか否かを前記距離関連情報に応じて判断する判断部を備え、前記表示制御部は、前記表示内容情報がすべての前記住戸端末に表示すべき情報であると前記判断部で判断された場合、当該表示内容情報をすべての前記住戸端末の前記表示部に表示させることが好ましい。
【０００９】
この情報提供システムにおいて、前記サーバ装置は、前記記憶部に記憶されている前記場所情報を用いて当該場所情報で表わされる前記場所が示された周辺地図を作成する地図作成部を備え、前記表示制御部は、前記地図作成部で作成された前記周辺地図を前記表示内容情報とともに所定の前記住戸端末の前記表示部に表示させることが好ましい。
【００１０】
この情報提供システムにおいて、前記サーバ装置は、前記記憶部に記憶されている前記表示内容情報を消去するタイミングを前記距離算出部で求められた前記距離関連情報に応じて決定する決定部を備えることが好ましい。
【００１１】
本発明のサーバ装置は、各々が集合住宅において異なる住戸に設けられて表示部に表示させる内容を示す表示内容情報および当該表示内容情報に関連する場所を表わす場所情報が入力される複数の住戸端末と情報を授受するサーバ装置であって、前記表示内容情報および前記場所情報を対応付けて各住戸端末から取得して記憶する記憶部と、前記記憶部に記憶されている前記場所情報を用いて前記集合住宅から前記場所情報で表わされる前記場所までの距離に関連する距離関連情報を求める距離算出部と、前記距離算出部で求められた前記距離関連情報を用いて前記集合住宅に近い場所に関連する前記表示内容情報を優先的に所定の前記住戸端末の前記表示部に表示させる表示制御部とを備えることを特徴とする。
【発明の効果】
【００１２】
本発明によれば、集合住宅から場所情報で表わされる場所までの距離に関連する距離関連情報を求めることによって、集合住宅からの距離が短い場所に関連する伝言情報を優先的に表示することができる。その結果、本発明では、集合住宅の各住戸の住人に対してより有用な情報を提供することができる。
【図面の簡単な説明】
【００１３】
【図１】実施形態１に係る情報提供システムの構成を示すブロック図である。
【図２】同上に係る情報提供システムの記憶部に記憶されている伝言情報テーブルを示す図である。
【図３】同上に係る情報提供システムにおいて、（ａ）はサーバ装置の伝言情報の蓄積に関する動作を示すフローチャート、（ｂ）はサーバ装置の伝言情報の表示に関する動作を示すフローチャートである。
【図４】実施形態２に係る情報提供システムにおいてサーバ装置の伝言情報の表示に関する動作を示すフローチャートである。
【図５】実施形態３に係る情報提供システムにおいてサーバ装置の伝言情報の表示に関する動作を示すフローチャートである。
【図６】実施形態４に係る情報提供システムの記憶部に記憶されている伝言情報テーブルを示す図である。
【発明を実施するための形態】
【００１４】
以下の実施形態１〜５では、例えばマンションなどの集合住宅内で住人が入力した情報を管理して各住人に有用な情報を提供する情報提供システムおよびサーバ装置について説明する。
【００１５】
（実施形態１）
実施形態１に係る情報提供システムは、図１に示すように、各々が集合住宅６において異なる住戸６１に設けられた複数の住戸端末１と、複数の住戸端末１を制御する制御装置２と、ルータ３と、集合住宅６とは別の場所に設けられて各住戸端末１と情報を授受するサーバ装置４とを備えている。各住戸端末１とサーバ装置４とは、制御装置２とルータ３とネットワーク５とを介して接続されている。
【００１６】
各住戸端末１は、住人の操作によって情報が入力される情報入力部１１と、表示機能を有する表示部１２と、サーバ装置４と通信する端末側通信部１３とを備えている。
【００１７】
情報入力部１１は、例えばキーボード、複数の操作ボタン、キーパッド、マウスまたはタッチパネルなどであり、住人が情報または指示を入力するときに用いられる。情報入力部１１には、住人の入力操作によって、後述のテキスト情報と、上記テキスト情報に関連する場所（以下「情報地点」という）を表わす場所情報とが入力される。また、住人が情報を閲覧したいときに、情報入力部１１には、住人の入力操作によって、情報の閲覧を要求する旨の情報閲覧要求が入力される。
【００１８】
テキスト情報は、他の住戸端末１の表示部１２に表示させるための内容を含む表示内容情報である。つまり、テキスト情報は、他の住戸６１の住人に伝えたい情報、いわゆる口コミ情報である。テキスト情報としては、例えば近所のおすすめの店に関する情報や安全情報のような周知させたい近隣情報などがある。
【００１９】
場所情報とは、テキスト情報に関連する情報であり、建物の経度緯度、住所、電話番号などである。例えばテキスト情報がおすすめの店に関する情報である場合、場所情報は、上記店の住所や電話番号などである。
【００２０】
表示部１２は、例えば液晶ディスプレイ、プラズマディスプレイまたは有機ＥＬ（Electro-Luminescence）ディスプレイなどであり、端末側通信部１３でサーバ装置４から受信された情報を表示する。
【００２１】
端末側通信部１３は、情報入力部１１に入力された情報を、制御装置２とルータ３とネットワーク５とを介してサーバ装置４に送信する送信機能と、制御装置２とルータ３とネットワーク５とを介してサーバ装置４から情報を受信する受信機能とを有している。
【００２２】
サーバ装置４は、各住戸端末１と通信するサーバ側通信部４１と、情報を記憶する機能を有する記憶部４２と、情報を処理する機能を有する情報処理部４３と、各住戸端末１の表示部１２を制御する表示制御部４４とを備えている。サーバ装置４は、ＣＰＵ（Central Processing Unit：中央処理装置）およびメモリが搭載されたコンピュータ（マイクロコンピュータを含む）を主構成要素とする。
【００２３】
サーバ側通信部４１は、各住戸端末１から情報を受信する。例えば、サーバ側通信部４１は、情報入力部１１に入力されたテキスト情報および場所情報を対応付けて各住戸端末１から受信する。
【００２４】
記憶部４２は、ＲＯＭ（Read Only Memory）およびＲＡＭ（Random Access Memory）を備えている。ＲＯＭとしては、データの書き換えができないマスクＲＯＭ、データの書き換えができるＥＥＰＲＯＭ（Electrically Erasable Programmable Read Only Memory）またはフラッシュメモリなどが用いられる。記憶部４２は、サーバ側通信部４１で受信されたテキスト情報および場所情報を対応付けて伝言情報として記憶する。つまり、記憶部４２には、図２に示すような伝言情報テーブルが記憶されている。また、記憶部４２には、情報処理部４３が処理を行うためのプログラムが格納されている。
【００２５】
情報処理部４３は、コンピュータに搭載されたＣＰＵ（マイクロプロセッサ（ＭＰＵ：Micro Processing Unit））を主構成要素とし、記憶部４２に格納されているプログラムに従って動作する。情報処理部４３は、記憶部４２に記憶されている場所情報を用いて集合住宅６から情報地点までの距離に関連する距離関連情報を求める。つまり、情報処理部４３は距離算出部の機能を実行する。情報処理部４３は、求めた距離関連情報を伝言情報に含めて記憶部４２に記憶させる（図２参照）。
【００２６】
距離関連情報は、集合住宅６から情報地点までの距離そのものであってもよいし、例えば「集合住宅内」、「集合住宅外」という情報であってもよい。
【００２７】
また、距離関連情報は、集合住宅６から情報地点までの直線距離であってもよいし、集合住宅６から情報地点までの最短経路の道のりであってもよい。
【００２８】
さらに、距離関連情報は、集合住宅６から情報地点までの距離が「所定距離範囲（例えば１ｋｍ以上３ｋｍ以下の範囲）」などのような情報であってよい。また、距離関連情報は、「徒歩で行ける範囲」、「自転車で行ける範囲」、「所定時間内（例えば●分以内）に自動車で行ける範囲」などのような情報であってもよい。
【００２９】
表示制御部４４は、例えば情報処理部４３と同じＣＰＵを主構成要素とし、距離算出部の機能を実行して求めた距離関連情報を用いて、集合住宅６に近い場所に関連する伝言情報を優先的に住戸端末１の表示部１２に表示させる。上記伝言情報は、サーバ側通信部４１から住戸端末１に送信される。
【００３０】
住戸端末１の表示部１２は、端末側通信部１３で受信された伝言情報を表示する。なお、表示部１２は、例えば「徒歩で行ける範囲」、「自転車で行ける範囲」、「所定時間内（例えば●分以内）に自動車で行ける範囲」などのような距離関連情報に基づいた分類で伝言情報を表示してもよい。
【００３１】
次に、本実施形態に係る情報提供システムにおける伝言情報の蓄積に関する動作について図３（ａ）を用いて説明する。まず、住人が住戸端末１の情報入力部１１からテキスト情報と場所情報とを入力する。情報入力部１１に入力されたテキスト情報および場所情報は、住戸端末１からサーバ装置４に送信される。サーバ装置４は、住戸端末１からテキスト情報および場所情報を受信する（図３（ａ）のＳ１）。サーバ装置４に届いたテキスト情報および場所情報は、記憶部４２に伝言情報として蓄積される（Ｓ２）。サーバ装置４の情報処理部４３は、場所情報を用いて集合住宅６から情報地点までの距離に関連する距離関連情報を算出し（Ｓ３）、距離関連情報を記憶部４２に蓄積させる（Ｓ４）。
【００３２】
続いて、本実施形態に係る情報提供システムにおける伝言情報の表示に関する動作について図３（ｂ）を用いて説明する。まず、住人が住戸端末１の情報入力部１１から情報閲覧要求を入力する。住戸端末１は情報閲覧要求をサーバ装置４に送信し、サーバ装置４は住戸端末１から情報閲覧要求を受信する（図３（ｂ）のＳ１１）。サーバ装置４の情報処理部４３は、記憶部４２に記憶されている伝言情報を取得し（Ｓ１２）、記憶部４２から取得した伝言情報の距離関連情報に基づいて、集合住宅６に近い場所の伝言情報を優先的に住戸端末１に送信する（Ｓ１３）。情報閲覧要求をサーバ装置４に送信した住戸端末１は、サーバ装置４からの伝言情報を表示部１２に表示する。
【００３３】
以上、本実施形態の情報提供システムによれば、集合住宅６から情報地点までの距離に関連する距離関連情報を求めることによって、集合住宅６からの距離が短い情報地点に関連する伝言情報を優先的に表示することができる。その結果、本実施形態の情報提供システムでは、集合住宅６の各住戸６１の住人に対してより有用な情報を提供することができる。
【００３４】
（実施形態２）
実施形態２に係る情報提供システムは、住人が住戸端末１の表示部１２に表示する伝言情報を所定距離関連情報に限定して要求することができる点で、実施形態１に係る情報提供システムと相違する。以下、本実施形態の情報提供システムについて図１および図４を用いて説明する。なお、実施形態１の情報提供システムと同様の構成要素については、同一の符号を付して説明を省略する。
【００３５】
本実施形態の情報入力部１１には、住人の入力操作によって所定距離関連情報が入力される。所定距離関連情報は、住人が閲覧したい伝言情報の範囲を示すために入力される情報である。なお、実施形態１の情報入力部１１と同様の機能については説明を省略する。
【００３６】
本実施形態の表示制御部４４は、距離関連情報が上記所定距離関連情報に関連する伝言情報を記憶部４２から抽出し、抽出した伝言情報を、所定距離関連情報が入力された住戸端末１の表示部１２に表示させる。なお、実施形態１の表示制御部４４と同様の機能については説明を省略する。
【００３７】
次に、本実施形態に係る情報提供システムにおける伝言情報の表示に関する動作について図４を用いて説明する。ここでは、距離関連情報は集合住宅６から情報地点までの距離とする。なお、本実施形態に係る情報提供システムにおける伝言情報の蓄積に関する動作については、実施形態１に係る情報提供システムと同様である。
【００３８】
まず、住人が住戸端末１の情報入力部１１から所定距離関連情報を入力する。住戸端末１は、所定距離関連情報を含む情報閲覧要求をサーバ装置４に送信し、サーバ装置４は住戸端末１から情報閲覧要求を受信する（図４のＳ２１）。サーバ装置４の情報処理部４３は、情報閲覧要求に所定距離関連情報が含まれているか否かを判定する（Ｓ２２）。所定距離関連情報が含まれている場合、情報処理部４３は、集合住宅６からの距離が所定距離関連情報の距離よりも短い情報地点に関連する伝言情報を記憶部４２から取得する（Ｓ２４）。記憶部４２から取得した伝言情報は、情報閲覧要求を送信した住戸端末１に送信される（Ｓ２５）。情報閲覧要求をサーバ装置４に送信した住戸端末１は、サーバ装置４からの伝言情報を表示部１２に表示する。
【００３９】
ステップＳ２２において情報閲覧要求に所定距離関連情報が含まれていない場合、サーバ装置４は、実施形態１と同様に、記憶部４２から伝言情報を取得し（Ｓ２３）、記憶部４２から取得した伝言情報の距離関連情報に基づいて、集合住宅６に近い場所の伝言情報を優先的に住戸端末１に送信する（Ｓ２５）。
【００４０】
以上、本実施形態の情報提供システムによれば、例えば住人が所有する移動手段（車、自転車、徒歩）などに応じて有効な情報地点に関連する伝言情報のみを住人に知らせることができる。
【００４１】
（実施形態３）
実施形態３に係る情報提供システムは、距離関連情報に応じてサーバ装置４からすべての住戸端末１に伝言情報を送信する点で、実施形態１に係る情報提供システムと相違する。以下、本実施形態の情報提供システムについて図１および図５を用いて説明する。なお、実施形態１の情報提供システムと同様の構成要素については、同一の符号を付して説明を省略する。
【００４２】
本実施形態の情報処理部４３は、記憶部４２に記憶されている伝言情報ごとに、伝言情報がすべての住戸端末１で表示すべき情報であるか否かを距離関連情報に応じて判断する。一例として、距離関連情報が集合住宅６から情報地点までの距離そのものである場合、情報処理部４３は、集合住宅６からの距離が予め決められた距離より短い情報地点に関連する伝言情報がすべての住戸端末１で表示すべき情報であると判断する。他の例として、情報処理部４３は、距離関連情報が集合住宅６内を示している伝言情報がすべての住戸端末１に表示すべき情報であると判断する。本実施形態の情報処理部４３は判断部の機能を実行する。なお、実施形態１の情報処理部４３と同様の機能については説明を省略する。
【００４３】
本実施形態の表示制御部４４は、伝言情報がすべての住戸端末１に表示すべき情報であると情報処理部４３で判断された場合、上記伝言情報をすべての住戸端末１の表示部１２に表示させる。なお、実施形態１の表示制御部４４と同様の機能については説明を省略する。
【００４４】
次に、本実施形態に係る情報提供システムにおける伝言情報の表示に関する動作について図５を用いて説明する。なお、本実施形態に係る情報提供システムにおける伝言情報の蓄積に関する動作については、実施形態１に係る情報提供システムと同様である。
【００４５】
まず、サーバ装置４の情報処理部４３は、伝言情報の距離関連情報を参照し（図５のＳ３１）、距離関連情報が集合住宅６内を示しているか否かを判断する（Ｓ３２）。距離関連情報が集合住宅６内を示している場合、情報処理部４３は、住人全員が共有すべき情報であると判断し、上記距離関連情報に該当する伝言情報を住人全員が共有すべき情報として記憶部４２から取得する（Ｓ３３）。サーバ装置４は、記憶部４２から取得した伝言情報をすべての住戸端末１に送信する（Ｓ３４）。すべての住戸端末１は、サーバ装置４からの伝言情報を表示部１２に表示する。
【００４６】
一方、ステップＳ３２において距離関連情報が集合住宅６内を示していない場合、伝言情報の表示に関する動作を終了する。
【００４７】
以上、本実施形態の情報提供システムによれば、例えば集合住宅６内の伝言情報などをすべての住人に自動的に周知させることができる。
【００４８】
なお、住人全員が共有すべき伝言情報であるか否かを判断するための基準は、距離関連情報が集合住宅６内を示している場合に限定されず、「ある一定距離以下」などであってもよい。上記基準は、複数設定されていてもよいし、住戸端末１から設定できるようにしてもよい。
【００４９】
また、サーバ装置４からの伝言情報の送信先は、すべての住戸端末１に限定されず、上記基準ごとに登録された複数の住戸端末１であってもよい。複数の住戸端末１の登録内容は、住戸端末１から設定された内容であってもよい。
【００５０】
本実施形態のように距離関連情報に応じてサーバ装置４からすべての住戸端末１に伝言情報を送信する機能を、実施形態２の情報提供システムに適用してもよい。
【００５１】
（実施形態４）
実施形態４に係る情報提供システムは、場所情報に基づいて周辺地図を作成してテキスト情報とともに周辺地図を表示する点で、実施形態１に係る情報提供システムと相違する。以下、本実施形態の情報提供システムについて図１および図６を用いて説明する。なお、実施形態１の情報提供システムと同様の構成要素については、同一の符号を付して説明を省略する。
【００５２】
本実施形態の情報処理部４３は、記憶部４２に記憶されている伝言情報の場所情報で表わされる情報地点を集合住宅６の周辺地図上に示すことによって、上記場所情報に対応する周辺地図を作成する。つまり、本実施形態の情報処理部４３は地図作成部の機能を実行する。情報処理部４３は、周辺地図を含む地図情報を記憶部４２に蓄積させる。地図情報としては、集合住宅６から情報地点までの最短経路が示される。なお、実施形態１の情報処理部４３と同様の機能については説明を省略する。
【００５３】
本実施形態の記憶部４２には、図６に示すように、テキスト情報と場所情報と距離関連情報と地図情報とを対応付けた伝言情報テーブルが記憶されている。
【００５４】
本実施形態の表示制御部４４は、情報処理部４３で作成された周辺地図を含む伝言情報を住戸端末１の表示部１２に表示させる。なお、実施形態１の表示制御部４４と同様の機能については説明を省略する。
【００５５】
次に、本実施形態に係る情報提供システムにおける伝言情報の蓄積に関する動作について説明する。まず、住人が住戸端末１の情報入力部１１からテキスト情報と場所情報とを入力する。情報入力部１１に入力されたテキスト情報および場所情報は、住戸端末１からサーバ装置４に送信される。サーバ装置４は、住戸端末１からテキスト情報および場所情報を受信する。サーバ装置４に届いたテキスト情報および場所情報は、記憶部４２に伝言情報として蓄積される。サーバ装置４の情報処理部４３が場所情報を用いて集合住宅６から情報地点までの距離に関連する距離関連情報を算出し、記憶部４２が距離関連情報を蓄積する。さらに、情報処理部４３は、情報地点が示された周辺地図を作成し、地図情報として記憶部４２に蓄積させる。
【００５６】
続いて、本実施形態に係る情報提供システムにおける伝言情報の表示に関する動作について説明する。まず、住人が住戸端末１の情報入力部１１から情報閲覧要求を入力する。住戸端末１は情報閲覧要求をサーバ装置４に送信し、サーバ装置４は住戸端末１から情報閲覧要求を受信する。サーバ装置４の情報処理部４３は、記憶部４２に記憶されている伝言情報を取得し、記憶部４２から取得した伝言情報の距離関連情報に基づいて、集合住宅６に近い場所の伝言情報を優先的に住戸端末１に送信する。情報閲覧要求をサーバ装置４に送信した住戸端末１は、サーバ装置４からの伝言情報を表示部１２に表示させる。表示部１２には、テキスト情報とともに周辺地図も表示される。
【００５７】
以上、本実施形態の情報提供システムによれば、情報地点が示された周辺地図を表示させることによって、集合住宅６から情報地点までの経路を住人に知らせることができる。
【００５８】
なお、サーバ装置４は、距離関連情報を基準として集合住宅６に近い場所のみ地図情報を作成して表示部１２に表示させるようにしてもよい。上記基準は、「徒歩で行ける範囲」、「自転車で行ける範囲」、「所定時間内（例えば●分以内）に自動車で行ける範囲」などのような情報であってもよい。上記基準は、住戸端末１から設定できるようにしてもよい。
【００５９】
本実施形態のように場所情報に基づいて周辺地図を作成してテキスト情報とともに周辺地図を表示する機能を、実施形態２，３の情報提供システムに適用してもよい。
【００６０】
（実施形態５）
実施形態５に係る情報提供システムは、サーバ装置４の記憶部４２に蓄積されている伝言情報を消去するタイミングを距離関連情報に基づいて決定する点で、実施形態１に係る情報提供システムと相違する。以下、本実施形態の情報提供システムについて図１を用いて説明する。なお、実施形態１の情報提供システムと同様の構成要素については、同一の符号を付して説明を省略する。
【００６１】
本実施形態の情報処理部４３は、記憶部４２に記憶されている伝言情報を消去するタイミングを、距離算出部の機能を実行して求めた距離関連情報に応じて決定する。つまり、本実施形態の情報処理部４３は決定部の機能を実行する。なお、実施形態１の情報処理部４３と同様の機能については説明を省略する。
【００６２】
次に、本実施形態に係る情報提供システムの動作について説明する。ここでは、距離関連情報は集合住宅６から情報地点までの距離とする。サーバ装置４は、記憶部４２に蓄積されている伝言情報の距離関連情報を参照し、集合住宅６から情報地点までの距離が長い伝言情報ほど早いタイミングで消去する。
【００６３】
以上、本実施形態の情報提供システムによれば、集合住宅６からの距離が長い情報地点に関連する伝言情報ほど早いタイミングで消去することによって、多くの人が利用する伝言情報を長く蓄積しながら、新しい伝言情報を蓄積することができる。
【００６４】
なお、情報処理部４３が伝言情報を消去するまでの時間は、住戸端末１などから設定できるようにしてもよい。
【００６５】
サーバ装置４は、記憶部４２に蓄積されている伝言情報のいずれかを消去する必要がある場合、距離関連情報を用いて集合住宅６からの距離が長い場所に関連する伝言情報を優先的に消去するようにしてもよい。これにより、不要な伝言情報から順に消去することができる。
【００６６】
表示制御部４４は、伝言情報に含まれているすべての情報を表示部１２に表示させるのではなく、伝言情報のうちテキスト情報および場所情報のみを表示部１２に表示させてもよいし、テキスト情報のみを表示部１２に表示させてもよい。
【００６７】
本実施形態のようにサーバ装置４の記憶部４２に蓄積されている伝言情報を消去するタイミングを距離関連情報に基づいて決定する機能を、実施形態２〜４の情報提供システムに適用してもよい。
【符号の説明】
【００６８】
１  住戸端末
１１  情報入力部
１２  表示部
４  サーバ装置
４２  記憶部
４３  情報処理部（距離算出部、判断部、地図作成部、決定部）
４４  表示制御部
６  集合住宅
６１  住戸
【図１】
2012128481.tif 000003
【図２】
2012128481.tif 000004
【図３】
2012128481.tif 000005
【図４】
2012128481.tif 000006
【図５】
2012128481.tif 000007
【図６】
2012128481.tif 000008